(57)【特許請求の範囲】
【請求項１】
パレット輸送される製品を、パレットに対して積載・荷降ろしするための傾斜案内路を構成するスロープ部材において、
前記スロープ部材が、前記製品に連結されて転倒防止部品とされることを特徴とするスロープ部材。
【請求項２】
前記スロープ部材は、前記製品の左右両側にそれぞれ着脱自在に連結される所定幅のスロープ面構成部と、それぞれのスロープ面構成部の下縁より外側方に向けて張り出し形成された平面視直角三角形状のスロープ構成部とを有することを特徴とする請求項１に記載のスロープ部材。
【請求項３】
前記スロープ構成部により構成されるスロープ高さが、汎用パレットの高さと略同じとされていることを特徴とする請求項２に記載のスロープ部材。
【請求項４】
前記製品の左右両側に連結されるそれぞれの前記スロープ部材は、補助スロープ部材をそれぞれ備え、
各補助スロープ部材は、前記スロープ面構成部に重合状として製品に着脱自在に連結される連結部と、連結部の下縁より外側方に向けて張り出し形成されると共に前記スロープ構成部と略同形同大の補助スロープ構成部とを有し、
左右両側に連結される各スロープ部材のスロープ構成部および各補助スロープ部材の補助スロープ構成部が左右対称に形成されると共に、各補助スロープ部材は左右交換して製品の左右両側に連結自在とされていることを特徴とする請求項２または請求項３に記載のスロープ部材。
【発明の詳細な説明】
【技術分野】
【０００１】
本発明は、複写機・ＯＡ機器・ミニラボ等のキャスター付中重量物の輸送用パレットへの積載・荷降ろしに使用するスロープ部材に関するものである。
【背景技術】
【０００２】
従来、輸送用パレットに搭載された複写機・ＯＡ機器等のキャスター付中重量物を客先に設置する際は一般に輸送用パレットにスロープ部材を接合して、人力でキャスターを転がしながら荷降ろししていた。
【０００３】
そのようなスロープ部材を用いたものとして、例えば、開梱時に木枠梱包箱の側壁を前方に倒してスロープ部材として利用することにより、専用リフターを使わずに人力でキャスターを転がしながら中重量物を荷降ろしする構造の梱包箱があった（例えば、特許文献１参照）。
【０００４】
また、予めパレットにスロープ部材を収納させ、パレットからキャスター付中重量物を降ろす際に、そのスロープ部材を引き出して使う特殊な構造のパレットも提案されていた（例えば、特許文献２参照）。
【０００５】
さらに、梱包箱の中に紙器・段ボール等で作られたスロープ部材を収納させ、製品を降ろす際はパレットの前に係合させて使用する構造の梱包箱も提案されていた（例えば、特許文献３参照）。
【０００６】
【特許文献１】実開平５−３１２９号公報
【特許文献２】特開２００２−２２５８７１号公報
【特許文献３】特開２００６−６９６５０号公報
【発明の開示】
【発明が解決しようとする課題】
【０００７】
しかしながら、上記各特許文献に開示の構造のものによれば、客先に荷降ろしして設置した後、これらの梱包箱や輸送用パレットは、保管スペースの制約により、客先で廃棄もしくはメーカーが引き揚げるケースが圧倒的に多い。それにもかかわらず設置後の製品不具合によりメーカーへの返却、もしくは別店舗への移管等により再度、輸送用パレットに積荷して輸送されるケースが多々ある。
【０００８】
即ち、特許文献１の場合においては、木製梱包箱の側壁をスロープ部材として用いているため、紙器や段ボールに比べて重量が重くなり、輸送コストの増大を招き、また、環境破壊の観点からも木材の使用は好ましくない。さらに、一度客先で開梱・荷降ろしされた後は、スロープと一体化しているこの専用の木製梱包箱は廃棄されてしまうおそれがあり、客先から再輸送を依頼された場合、再度この専用のパレットが一体化された高価な木製梱包箱を手配しなければならないという問題があった。
【０００９】
また、特許文献２の場合においても同様に、専用のスロープが収納されたパレットであり、再輸送する場合にはこの構造の複雑な高価な専用パレットを再手配しなければならないという問題があった。
【００１０】
さらに、特許文献３の場合においても同様に、最初に客先に設置した際に、既に梱包箱と一緒にスロープ部材を廃却しているケースが圧倒的に多く、再輸送の場合には改めてスロープ部材とパレットを再手配しなければならないという問題があった。
【００１１】
そこで、本発明は、上記のような課題に鑑み、スロープ部材を製品の一機能部品として兼用することにより、廃棄を防止して、再輸送時のコスト削減を図ったスロープ部材を提供することを目的とする。
【課題を解決するための手段】
【００１２】
本発明は、パレット輸送される製品を、パレットに対して積載・荷降ろしするための傾斜案内路を構成するスロープ部材において、前記スロープ部材が、前記製品に連結されて転倒防止部品とされることを特徴とする。
【発明の効果】
【００１３】
本発明のスロープ部材によれば、スロープ部材が、製品に連結されて転倒防止部品とされる構造とされているため、輸送された製品を荷下ろしする際には、スロープ部材をパレットからの傾斜案内路として利用し、製品を設置した際には、スロープ部材を製品の転倒防止部品として利用する。また、再輸送の必要が生じた際には、パレットを手配すれば、転倒防止部品として利用しているスロープ部材を本来のスロープ部材として用いることにより、パレット上に製品を容易に積載できる。
【００１４】
このように、製品の設置に際して、スロープ部材を製品の一機能部品として兼用しているため、廃棄を有効に防止することができ、再輸送時には、前述のような特殊な構造のパレットを手配する必要がなく、汎用のパレットを手配するだけでよく、再輸送時のコスト削減を図ることができる。
【発明を実施するための最良の形態】
【００１５】
＜実施の形態１＞
以下、本発明の実施の形態１を図面に基づいて説明すると、図１ないし図５に示されるように、複写機等のキャスター付中重量部としての製品１が、輸送用パレットとしての市場で流通している汎用パレット２上に積載されており、製品１の左右両側面には、製品１の転倒防止部品としての機能を有するスロープ部材３，４がそれぞれ着脱自在に連結されている。
【００１６】
各スロープ部材３，４は、製品１の側面に連結される所定幅を有する矩形のスロープ面構成部３ａ，４ａと、スロープ面構成部３ａ，４ａの下縁より外側方に向けて張り出し形成された平面視直角三角形状のスロープ構成部３ｂ，４ｂからなり、例えば、所定形状の適宜厚さを有する金属板等を屈曲状に形成した構造とされている。また、図１ないし図３に示されるように、各スロープ構成部３ｂ，４ｂは左右対称に張り出された構造とされている。
【００１７】
そして、本実施の形態によれば、各スロープ面構成部３ａ，４ａの幅Ｈは、それぞれ製品１における左右方向幅Ｋの略１／２の寸法とされている。また、各スロープ構成部３ｂ，４ｂの直角を挟む短辺の長さＳは、それぞれパレット２の高さＴと略同じ寸法とされている。
【００１８】
さらに、各スロープ部材３，４の各スロープ面構成部３ａ，４ａには、図１、図２および図５に示されるように、製品１の側面に固定するための製品固定用孔６，７がそれぞれ形成されると共に、互いのスロープ部材３，４を連結するため、各スロープ面構成部３ａ，４ａの幅方向端縁部のいずれか一方にスロープ結合用孔８が形成され、他方にスロープ結合用雌ネジ孔９が形成されている。
【００１９】
そして、各スロープ部材３，４のスロープ面構成部３ａ，４ａは、図示省略の固定ネジにより、各製品固定用孔６，７を通じて製品１の左右両側面に着脱自在に固定される構造とされている。
【００２０】
また、各スロープ部材３，４を製品１から取り外して、図６に示されるように、互いのスロープ面構成部３ａ，４ａの端縁部を重ねた状態で、図示省略の結合ネジを、一方のスロープ結合用孔８を挿通して他方のスロープ結合用雌ネジ孔９に螺合締結することにより、両スロープ部材３，４が着脱自在に結合される構造とされている。そして、互いに結合された状態において、両スロープ部材３，４のスロープ面構成部３ａ，４ａにより、製品１をパレット２に積載もしくは荷降ろしする際の傾斜案内路が構成される。
【００２１】
本実施の形態は以上のように構成されており、パレット輸送された製品１を客先で荷降ろしする際には、製品１の両側面に取り付けられている各スロープ部材３，４を取り外し、図６に示されるように、互いのスロープ面構成部３ａ，４ａの端縁部を重ねた状態で、結合ネジで締結して結合すれば、製品１の左右方向幅Ｋ寸法と略同等の幅を有する一体型スロープ部材３，４が構成される。
【００２２】
この際、スロープ構成部３ｂ，４ｂの短辺の長さＳがパレット２の高さＴと略同じ寸法とされているため、このスロープ部材３，４のスロープ高さはパレット２の高さＴと同等となり、このスロープ部材３，４を汎用パレット２の前に接合することで、パレット２からの傾斜案内路が構成され、キャスター１ａはスロープ面構成部３ａ，４ａを踏み外すことなく、製品１を滑走させて荷降ろしすることができる。
【００２３】
荷降ろし後は、製品１の設置場所において、図１ないし図５に示されるように、スロープ部材３，４を製品１の左右両側面に同じ形態で取り付け固定しておけば、製品１の転倒防止部品として機能することができる。
【００２４】
そして、製品１を再輸送する必要が発生した場合には、パレット２を手配して、上記と逆の手順によりパレット２上に積載することができ、容易に対応することができる。
【００２５】
以上のように、本実施の形態においては、輸送用パレット２から荷降ろしする際および輸送用パレット２へ積み込む際に作業にとって必要不可欠なスロープ部材３，４を、製品１の設置後においては、製品１にとって必要不可欠な転倒防止部品（一機能部品）として兼用することにより、荷降ろし後におけるスロープ部材３，４の廃棄を有効に防止することができる。そして、再輸送が生じた場合には、パレット２を手配するだけでよく、再輸送時のコスト削減を図ることができる。
【００２６】
そして、特に本実施の形態によれば、スロープ部材３，４によって構成されるスロープ高さが汎用パレット２の高さと略同じ寸法とされているため、特殊な構造のパレットを手配する必要がなく、汎用のパレット２を手配するだけでよく、再輸送時のコストを大幅に削減することができる。
【００２７】
＜実施の形態２＞
図７ないし図１１は実施の形態２を示しており、上記実施の形態１と同様構成部分は同一符号を付し、その説明を省略する。
【００２８】
即ち、本実施の形態によれば、製品１の左右両側面に着脱自在に取り付けられるスロープ部材３，４が、補助スロープ部材１３，１４をそれぞれさらに備えた構造とされている。
【００２９】
各補助スロープ部材１３，１４は、スロープ部材３，４のスロープ面構成部３ａ，４ａに重合状として製品１に着脱自在に連結される連結部としての所定幅を有する矩形の連結片部１３ａ，１４ａと、連結片部１３ａ，１４ａの下縁より外側方に向けて張り出し形成されると共に前記スロープ構成部３ｂ，４ｂと略同形同大の補助スロープ構成部１３ｂ，１４ｂとからなり、スロープ部材３，４と同様、例えば、所定形状の適宜厚さを有する金属板等を屈曲状に形成した構造とされている。そして、各スロープ構成部３ｂ，４ｂおよび各補助スロープ構成部１３ｂ，１４ｂの直角を挟む短辺の長さは、上記実施の形態１と同様、汎用パレット２の高さと略同じ寸法とされている。なお、各スロープ面構成部３ａ，４ａの幅は、製品１における左右方向幅の略１／２の寸法であってもよく、製品１の積載・荷降ろしに際して支障のない適宜幅を有していればよい。
【００３０】
また、各スロープ部材３，４の各スロープ面構成部３ａ，４ａには、図７ないし図１１に示されるように、製品１の側面に固定するための製品固定用孔１６，１７がそれぞれ形成されおり、本実施の形態においては、各製品固定用孔１６，１７は前後両端部で上下に離隔して合計４個所ずつそれぞれ形成されている。
【００３１】
これに対し、各補助スロープ部材１３，１４の連結片部１３ａ，１４ａには、製品１の側面に固定するための製品固定用孔１８，１９が前後両端部で合計２個所ずつそれぞれ形成されている。
【００３２】
そして、図７および図８に示される状態においては、各補助スロープ部材１３，１４の連結片部１３ａ，１４ａおよび各スロープ部材３，４のスロープ面構成部３ａ，４ａは、図示省略の固定ネジにより、各製品固定用孔１８，１９および各製品固定用孔１６，１７を通じて製品１の左右両側面に着脱自在に固定される構造とされている。この際、連結片部１３ａ，１４ａはスロープ面構成部３ａ，４ａの上側の製品固定用孔１６，１７を利用して共締め状に固定されている。また、この状態においては、上記実施の形態１と同様、各スロープ部材３，４のスロープ構成部３ｂ，４ｂおよび各補助スロープ部材１３，１４の補助スロープ構成部１３ｂ，１４ｂは、左右対称に張り出された構造とされている。
【００３３】
さらに、各補助スロープ部材１３，１４は、スロープ部材３，４のスロープ面構成部３ａ，４ａにおける下側の製品固定用孔１６，１７を利用しても製品１に共締め可能とされ、さらには、図１０や図１１に示されるように、異なる側のスロープ部材３，４におけるスロープ面構成部３ａ，４ａの製品固定用孔１６，１７を利用して左右交換可能に共締め可能に構成されている。
【００３４】
本実施の形態は以上のように構成されており、パレット輸送された製品１を客先で荷降ろしする際には、製品１の両側面に取り付けられている各スロープ部材３，４および各補助スロープ部材１３，１４を取り外し、その形態のまま図９に示されるように、パレット２の前の適宜位置に接合すれば、パレット２からの傾斜案内路が構成され、キャスター１ａはスロープ面構成部３ａ，４ａを踏み外すことなく、製品１を滑走させて荷降ろしすることができる。
【００３５】
荷降ろし後は、製品１の設置場所において、図１０および図１１に示されるように、各スロープ部材３，４を製品１の左右両側面に同じ形態で取り付ける。この際、各補助スロープ部材１３，１４は、左右を交換して、スロープ面構成部３ａ，４ａの下側の製品固定用孔１６，１７を利用して共締めして固定する。ここに、スロープ部材３，４および補助スロープ部材１３，１４は、製品１の転倒防止部品として機能することができる。
【００３６】
以上のように、本実施の形態においても、上記実施の形態１と同様、輸送用パレット２から荷降ろしする際および輸送用パレット２へ積み込む際に作業にとって必要不可欠なスロープ部材３，４および補助スロープ部材１３，１４を、製品１の設置後においては、製品１にとって必要不可欠な転倒防止部品（一機能部品）として兼用することにより、荷降ろし後における廃棄を有効に防止することができる。そして、再輸送が生じた場合には、パレット２を手配するだけでよく、再輸送時のコスト削減を図ることができる。また、特殊な構造のパレットを手配する必要がなく、汎用のパレット２を手配するだけでよく、再輸送時のコストを大幅に削減することができる利点も奏する。
【００３７】
さらに、本実施の形態においては、製品１の設置に際して、各補助スロープ部材１３，１４を左右交換して側面に固定することにより、各スロープ部材３，４のスロープ構成部３ｂ，４ｂと各補助スロープ部材１３，１４の補助スロープ構成部１３ｂ，１４ｂとが、互いに向きが異なった状態で上下に重合状とされることになり、図１０や図１１に示されるように、設置面積をより大きく確保することが可能となり、転倒防止機能をより向上させることができる。
【００３８】
なお、上記各実施の形態において、スロープ部材３，４を製品１の転倒防止部品に兼用した構造を示しているが、その他の製品１に必要不可欠な機能部品に転用する構造であってもよい。
【図面の簡単な説明】
【００３９】
【図１】本発明に係る実施の形態１を示す左側概略斜視図である。
【図２】同右側概略斜視図である。
【図３】同概略平面図である。
【図４】同概略正面図である。
【図５】同概略右側面図である。
【図６】荷降ろし時における説明図である。
【図７】本発明に係る実施の形態２を示す左側概略斜視図である。
【図８】同右側概略斜視図である。
【図９】荷降ろし時における説明図である。
【図１０】設置時の左側概略斜視図である。
【図１１】設置時の右側概略斜視図である。
【符号の説明】
【００４０】
１  製品、１ａ  キャスター、３，４  スロープ部材、３ａ，４ａ  スロープ面構成部、３ｂ，４ｂ  スロープ構成部、１３，１４  補助スロープ部材、１３ａ，１４ａ  連結片部、１３ｂ，１４ｂ  補助スロープ構成部。
【図１】
0005127560.tif 000002
【図２】
0005127560.tif 000003
【図３】
0005127560.tif 000004
【図４】
0005127560.tif 000005
【図５】
0005127560.tif 000006
【図６】
0005127560.tif 000007
【図７】
0005127560.tif 000008
【図８】
0005127560.tif 000009
【図９】
0005127560.tif 000010
【図１０】
0005127560.tif 000011
【図１１】
0005127560.tif 000012